(57)【要約】【課題】構成簡単で施工自由度が高く、強固な緑化人工地盤を形成できるプランター支持枠装置の提供。【解決手段】プランター支持枠装置は、複数の支柱上に設けられて側面に被嵌合連結部を有する支持板部材と、両端に支持板部材に着脱自在に嵌合される嵌合連結部を持つ連結部材とを備え、支持板部材と協働して構成され、間に支持空間を持つ少なくとも一つの支持枠体によって、プランター本体を支持空間内に受け入れて支持フランジを下から支持する。支持枠体は複数個を縦横に連続配置できる。【効果】構造も施工も簡単で様々な支持基盤上に確実に支持でき、人の立入りが可能な緑化人工地盤を形成できる。【選択図】図１
2010207100.tif 000002
【特許請求の範囲】
【請求項１】
プランター本体の外周部に支持フランジを持つプランターを受け入れて保持するプランター支持枠装置であって、
支持基体上に配置される複数の支柱と、
上記支柱上で上記支持基体から離間した高さ位置に設けられ、側面に被嵌合連結部を有する平板状の支持板部材と、
両端に上記支持板部材の上記被嵌合連結部に着脱自在に嵌合される嵌合連結部を持ち、上記支持板部材を上記高さ位置で互いに連結して水平方向に支持するとともに、上記支持板部材と協働して少なくとも一つの支持枠体を構成して、間に形成された支持空間内に上記プランター本体を受け入れて上記プランターの上記支持フランジを支持する連結部材とを備え、
上記支持枠体は、行および列をなすように複数個を連続配置し得ることを特徴とするプランター支持枠装置。
【請求項２】
上記支持板部材は、上記支柱上にそれぞれ設けられており、平面形が正方形であって、上記被嵌合連結部が４つの側面のすべてに設けられていて、上記連結部材が上記被嵌合連結部に選択的に嵌合連結できることを特徴とする請求項１に記載のプランター支持枠装置。
【請求項３】
上記支持板部材の幅と上記連結部材の幅とがほぼ等しいことを特徴とする請求項１あるいは２に記載のプランター支持枠装置。
【請求項４】
上記支持板部材の上記被嵌合連結部と上記連結部材の上記嵌合連結部とは、段部と庇部とを互い組み合わせて、段部と庇部との間に設けた突起部と凹部とを互いに弾性的に嵌合させる継手を構成することを特徴とする請求項１〜３のいずれか一項に記載のプランター支持枠装置。
【請求項５】
上記支持板部材は、上記支柱上に複数個の上記支柱に跨って設けられた長尺材であることを特徴とする請求項１に記載のプランター支持枠装置。
【請求項６】
上記支持板部材の上記被嵌合連結部は、上記複数の支柱に対応して設けられていて、上記連結部材が上記被嵌合連結部に選択的に嵌合連結できることを特徴とする請求項５に記載のプランター支持枠装置。
【請求項７】
上記支持空間の平面形が上記プランター本体の平面形と実質的に一致する平面形であることを特徴とする請求項１〜６のいずれか一項に記載のプランター支持枠装置。
【請求項８】
上記支持板部材は高さ調節可能に設けられていることを特徴とする請求項１〜７のいずれか一項に記載のプランター支持枠装置。
【請求項９】
上記支柱が延長継手を備えていて高さ調節可能であることを特徴とする請求項１〜８のいずれか一項に記載のプランター支持枠装置。
【請求項１０】
上記支柱は、上記支持基体上に置かれる弾性体の台座と、上記台座に支持されて上端部に上記支持板部材に螺合するねじ部を有するボルトとを備えていることを特徴とする請求項１〜９のいずれか一項に記載のプランター支持枠装置。
【請求項１１】
上記被嵌合連結部および上記嵌合連結部は、突起と凹部との組合せ、ピンとピン穴との組み合わせ、ほぞとほぞ穴との組み合わせあるいは段部と庇部との組み合わせを有する構造であることを特徴とする請求項１〜１０のいずれか一項に記載のプランター支持枠装置。
【請求項１２】
上記支持枠体の下方の空間を外部から遮蔽する蹴上げを備えたことを特徴とする請求項１〜１１のいずれか一項に記載のプランター支持枠装置。
【請求項１３】
上記支柱によって支持された上記支持枠体によって構成された第１の支持枠体集合体と、上記支柱よりも長い支柱によって上記第１の支持枠体集合体よりも高い位置に支持された支持枠体によって構成された第２の支持枠体集合体とを備えたことを特徴とする請求項１〜１２のいずれか一項に記載の支持枠装置。
【請求項１４】
上記第１の支持枠体集合体と上記第２の支持枠体集合体との間の空間を外部から遮蔽する蹴上げを備えたことを特徴とする請求項１３に記載のプランター支持枠装置。
【請求項１５】
上記プランターが、少なくとも１つだけ板部材で置き換えられていることを特徴とする請求項１〜１４のいずれか一項に記載のプランター支持枠装置。
【請求項１６】
上記支持基体が、ベランダ、デッキ、屋上、屋根、コンクリート板、岩盤、礫であることを特徴とする請求項１〜１５のいずれか一項に記載のプランター支持枠装置。
【請求項１７】
上記連結部材が、両端を持つスライド板と、上記スライド板の両端にそれぞれ長さ方向にスリットにより勘合してスライド可能に設けられて、それぞれ上記支持板部材に嵌合連結することのできる嵌合連結部を有する２つの嵌合部とを備えたことを特徴とする請求項１〜１６のいずれか一項に記載のプランター支持枠装置。
【請求項１８】
上記支柱の上記支持基体に対する固定を、締結具、接着剤、および上記支持基体の突起部との嵌合の少なくとも一つにより、行ったことを特徴とする請求項１〜１７のいずれか一項に記載のプランター支持枠装置。
【請求項１９】
上記プランターの上記支持フランジ間の間隙が、格子状に組み合わせたスペーサによって埋められていることを特徴とする請求項１〜１８のいずれか一項に記載のプランター支持枠装置。
【請求項２０】
上記プランターは、上記プランター本体から水平方向に延びて上記支持枠体によって支持される上記支持フランジが、外縁部に全周に亘って設けられた立ち上がり部を持っていることを特徴とする請求項１〜１９のいずれか一項に記載のプランター支持枠装置。
【発明の詳細な説明】
【技術分野】
【０００１】
この発明はプランター支持枠装置に関し、特にプランター等の植物栽培容器を行および列に並べて配置して支持するプランター支持枠装置に関するものである。この発明で「プランター」とは、いわゆるプランター、植木鉢、栽培用ポット等の植物の成長維持または植物の収容に適合する植物栽培用容器を意味する。
【背景技術】
【０００２】
近年、屋上緑化が注目されているが、屋上緑化のためには、防水、灌漑、防根、軽量化等の問題が多く、これらを解決するためには相当に大きな費用が必要である。また、高層住宅の既存のベランダ等を緑化するためには、上述の問題を解決するために大がかりな工事が必要となる。大規模の工事をせずに既存の建物にも屋上緑化を施工できる簡易なシステムとして、屋上にプランターを並べて配置することも提案されている。また例えば折板屋根等の緑化の要望は多いが、上述の解決すべき多くの問題のために実用化できていないのが実情である。
【０００３】
例えば特許文献１には、皿形のプランターを四方に繋げて配置して屋上に置くだけの屋上緑化システムが提案されている。
【０００４】
また、特許文献２には、プランターの周囲に金属製網目状のパネルを広げて伸ばし、プランターからの蔓状の植物がパネルに沿って伸びるようにした植物栽培用パネル部材と植物栽培装置が提案されている。
【０００５】
さらに特許文献３には折版屋根の溝部分にプランターを収容して固定する緑化システムが提案されている。
【先行技術文献】
【特許文献】
【０００６】
【特許文献１】特開２００４−１４７５９３号公報
【特許文献２】特開２００４−９７１４４号公報
【特許文献３】特開２０００−２６２１５２号公報
【発明の概要】
【発明が解決しようとする課題】
【０００７】
このような従来の屋上緑化システムのうち、屋上にプランターを置くだけのものでは、様々な原因でプランターが移動してしまうことがあり、また人がプランターの上に乗ることができない。網目状パネルをプランターから伸ばして植物をそれに絡ませるものにおいても、人工地盤の作用が無く、人が乗ることができず、固定されていないので移動する心配もある。折版屋根の溝部分を利用してプランターを支持するものは、比較的良好な支持が得られるが折版屋根の畝部分を植栽で覆うことが難しく、プランターおよび固定金具を折版屋根の寸法形状に合わせて用意しなければならない。
【０００８】
従ってこの発明の目的は、簡単な構成でプランターを様々な種類の支持基体上に確実に支持でき、支持基体の表面を平面形のいかんに拘わらず実質的に完全に覆うことができて、人が立ち入ることのできる緑化された人工地盤を形成できるプランター支持枠装置を提供することである。
【課題を解決するための手段】
【０００９】
この発明の容器本体の外周部に支持フランジを持つプランター容器を受け入れて保持するプランター支持枠装置は、支持基体上に配置される複数の支柱と、上記支柱上で上記支持基盤から離間した高さ位置に設けられ、側面に被嵌合連結部を有する平板状の支持板部材と、両端に上記支持板部材の上記被嵌合連結部に着脱自在に嵌合される嵌合連結部を持ち、上記支持板部材を上記高さ位置で互いに連結して水平方向に支持するとともに、上記支持板部材と協働して少なくとも一つの支持枠体を構成して、間に形成された支持空間内に上記プランターの上記容器本体を受け入れて上記プランターの上記支持フランジを支持する連結部材とを備え、上記支持枠体は、行および列をなすように複数個を連続配置し得ることを特徴とするものである。
【発明の効果】
【００１０】
この発明のプランター支持枠装置によれば、簡単な構成でプランターを様々な種類の支持基体上に確実に支持でき、支持基体の表面を平面形のいかんに拘わらず実質的に完全に覆うことができて、人が立ち入ることのできる緑化された人工地盤を形成できる。
【図面の簡単な説明】
【００１１】
【図１】この発明のプランター支持枠装置の実施の形態１を示す概略斜視図である。
【図２】図１のプランター支持枠装置の概略平面図である。
【図３】図１のプランター支持枠装置と共に使用できるプランターの概略斜視図である。
【図４】図１のプランター支持枠装置の支持枠体の連結を示す分解斜視図である。
【図５】図１のプランター支持枠装置の支持枠体を単体として示す概略平面図である。
【図６】図５支持枠体の分解平面図である。
【図７】図６の支持枠体の側面図である。
【図８】図１のプランター支持枠装置に使用できる蹴上げの概略斜視図である。
【図９】この発明のプランター支持枠装置の実施の形態２を示す概略平面図である。
【図１０】図９の長尺の支持板部材を示す概略平面図である。
【図１１】図９の支持板部材の概略側面図である。
【図１２】この発明のプランター支持枠装置の実施の形態３を示す概略斜視図である。
【図１３】この発明のプランター支持枠装置の実施の形態４における連結部材を示す概略側面図である。図１のプランター支持枠装置と共に使用できるプランターの概略斜視図である。
【図１４】この発明のプランター支持枠装置の実施の形態５における支柱の長さが異なる場合の例を示す概略側面図である。
【図１５】この発明のプランター支持枠装置の実施の形態６における支柱の固定方法の一例を示す概略側面図である。
【図１６】この発明のプランター支持枠装置の実施の形態７における支柱の固定方法の別の例を示す概略側面図である。
【図１７】この発明のプランター支持枠装置の実施の形態８におけるプランターの支持の態様を示す概略平面図である。
【図１８】図１７の線ＸＶＩＩＩ−ＸＶＩＩＩに沿った断面図である。
【図１９】この発明のプランター支持枠装置の実施の形態９におけるプランターの支持の態様を示す概略平面図である。
【図２０】図１９の線ＸＸ−ＸＸに沿った断面図である。
【発明を実施するための形態】
【００１２】
以下、この発明の実施の形態について説明する。
【００１３】
実施の形態１．
図１〜７にはこの発明のプランター支持枠装置１の一実施形態を示し、図１はプランター支持枠装置１を建物のベランダ等の支持基体２上に設置した例を示す概略斜視図であり、図２は図１のプランター支持枠装置１だけを概略的に平面図で示す概略平面図であり、図３はプランターの一例を示す概略斜視図である。建物の床３と支持基体２との間にはアルミサッシ等の敷居４が設けられており、敷居４の外側が僅かに低いベランダの床すなわち支持基体２となり、支持基体２の周縁部からは欄干５が立ち上げられている。図示の例ではプランター支持枠装置１は敷居４と欄干５との間で床である支持基体２上に配置されている。
【００１４】
プランター支持枠装置１は、この例ではベランダである支持基体２上に配置される複数の支柱６と、支柱６上で支持基体２から離間した高さ位置Ｈ１に設けられ、側面に被嵌合連結部７を有する平板状の支持板部材８と、両端に支持板部材８の被嵌合連結部７に着脱自在に嵌合される嵌合連結部９を持ち、支持板部材８をその高さ位置Ｈ１で互いに連結して水平方向に支持するとともに、支持板部材８と協働して少なくとも一つの支持枠体１０を構成して、間に形成された支持空間１１内に、図３に示すようなプランター１２のプランター本体１３を受け入れてプランター１２の支持フランジ１４を支持する連結部材１５とを備えていて、支持枠体１０は、図に示すように、行および列をなすように複数個を連続配置して互いに連結された集合体を構成し得るようにされている。
【００１５】
図３にはこのプランター支持枠装置１によって支持できるプランター１２の一例が示されている。プランター１２は、頂面に開口１６を持つ直方体の箱形のプランター本体１３と、プランター本体１３の外周部の全周を囲んで開口１６に設けられた支持フランジ１４とで構成されたものであり、市販されているものでもよい。プランター１２は、そのプランター本体１３が支持枠体１０の支持空間１１内に受け入れられて支持され、その支持フランジ１４が支持板部材８と連結部材１５とによって下から支持されている。
【００１６】
図４には、プランター支持枠装置１の支柱６と、支持板部材８と、連結部材１５との一例を斜視図で示してあり、図５〜７には、図４に示す支柱６によって支持され、支持板部材８と、連結部材１５とによって構成される支持枠体１０を単体として示してある。
【００１７】
支柱６はゴム等の防振弾性体の台座１７を持ち、台座１７に対してネジ係合していて高さ調節ができるボルト１８であり、上端部のネジ部に支持板部材８がネジ係合されていて、あるいは延長継手を接続可能にされていて、支持板部材８の高さ位置を調節できるようにしてある。
【００１８】
支持板部材８は図示の例では正方形の平板であって、４つの側面にはそれぞれ被嵌合連結部７が設けられていて、この被嵌合連結部７に連結部材１５の嵌合連結部９が選択的に着脱自在に嵌合連結できるようにしてある。図示の例では、支持板部材８の被嵌合連結部７と連結部材１５の嵌合連結部９とは、段部１９と庇部２０とを互いに組み合わせて、段部１９と庇部２０との間に設けた突起部２１と凹部２２とを互いに嵌合させる継手を構成するものである。この被嵌合連結部７および嵌合連結部９は、図示はしてないが、突起と凹部との組合せ、ピンとピン穴との組み合わせ、ほぞとほぞ穴との組み合わせあるいは段部と庇部との組み合わせ等の着脱可能な嵌合継手構造でよい。
【００１９】
連結部材１５はそれぞれ長方形平面の板部材であり、支持板部材８と同様に、４つの側面にそれぞれ、支持板部材８の被嵌合連結部７に対応した構造の嵌合連結部９が設けてある。支持板部材８の幅と連結部材１５の幅とは、ほぼ等しくされている。このような嵌合継手構造によれば、多数の支持板部材８と多数の連結部材１５とを組み合わせて連結して、図１および２に示すように、多数の支持枠体１０を縦横に並べたすなわち行および列に配置した集合体構造を構成することができる。
【００２０】
図５には、このような支持枠体１０の一つを取り出してその平面形を示す。支持枠体１０は、正方形の頂点の位置に配置された４つの支持板部材８と、平方形の４辺となるように支持板部材８間を連結して、水平方向に支持するとともに、支持板部材８と協働して間にプランター１２のプランター本体１３の平面形と実質的に一致する正方形平面形の支持空間１１を形成している。支持空間１１内にはプランター１２のプランター本体１３を受け入れて水平方向に保持し、支持板部材８と連結部材１５とで支持フランジ１４を下方から支持することができる。
【００２１】
図６には図５の支持枠体１０を構成する個々の部品の関係を示す分解図であり、図７は図６の支持枠体１０を支柱６と共に示してある。
【００２２】
図８には、支柱６によって持ち上げられて段差のついた支持枠体１０の下方の空間を外部から遮蔽して、異物が侵入するのを防ぐための防護壁あるいは蹴上げ２３を示す。蹴上げ２３は、例えば図１に示すプランター支持枠装置１において、支持枠体１０の下方の空間が、四方を敷居、欄干あるいは壁などによって囲まれて閉塞されていない場合には、支持枠体１０と共に用いるのが望ましい。また、この蹴上げ２３は、支持枠体１０を高さの異なる２つの位置に配置した場合には、２つのレベルの支持枠体１０間に段差分の開口あるいは空間ができるので、この空間を外部に対して遮蔽するためにも使用できる。
【００２３】
図８に示す蹴上げ２３は、支持枠体１０の縁部現れる支持板部材８の被嵌合連結部７と連結部材１５の嵌合連結部９とのいずれにも嵌合連結できるように対応した形状の連結部２４と、連結部２４から下方に立ち下がり、下縁からスリット２５が形成された壁部２６と、壁部２６のスリット２５内に摺動式に入り込む立ち上がり部分２７を持つベース２８とを備えている。蹴上げ２３はまた、防護すべき空間の高さが高い場合に備えて、壁部２６とベース２８との間に挿入される延長部分２９を備えていて、必要に応じて延長部分２９を使用できるようにしてある。蹴上げ２３は、長さ方向（水平方向）に適当な長さで分割されていて、図４に示すものと同様の被嵌合連結部７と嵌合連結部９とにより着脱式に嵌合連結できるようにするのが望ましい。
【００２４】
例えば図２に示すプランター支持枠装置１においては、多数の支持枠体１０のうち、図で上から２番目、右から２番目の支持枠体１０にはプランター１２が設けられておらず、代わりに板部材３０によって支持空間１１がふさがれている。この板部材３０は、周囲の側面に被嵌合連結部７と対応した嵌合連結部９が設けてあって、組み立て時に嵌合連結部を嵌合連結させて、板部材３０の頂面を支持枠体１０の頂面と面一にすることができる。板部材３０は、支持枠体１０の支持空間１１内に保持される開口部を持たない板本体と、プランター１２と同様の支持枠体１０上に乗って支持されるフランジ部とを持つものであってもよい。このように、プランター１２を少なくとも１つ板部材３０で置き換えて、プランター１２を設置しない板張り部分を設けることにより、椅子やテーブルを置くスペースとして利用したり、デザイン上の要求に応えることができる。
【００２５】
このようなプランター支持枠装置１によれば、独立した支柱６が設けられているので、支持基体２に凹凸、傾斜あるいは段差があっても支柱の高さによって高さの相違を吸収でき、支持枠体１０を選択的に連結させることによってプランター支持枠装置１の平面形を自由に設定することができ、支持枠体１０の強度を適切に設定することができるので、簡単な構成でプランターを様々な種類の支持基盤上に確実に支持でき、支持基盤の表面を平面形のいかんに拘わらず実質的に完全に覆うことができて、人が立ち入ることのできる緑化された人工地盤を形成できる。
【００２６】
実施の形態２．
図９〜１１に示すプランター支持枠装置１においては、支柱６によって支持基体２から所定の高さに支持されて、連結部材１５を嵌合連結させる支持板部材３１が、複数個の支柱６に跨って設けられた長尺材である。この支持板部材３１には、一本につき６個の支柱６が等間隔で設けられていて、短辺の側面にも長辺の側面にも連続して被嵌合連結部７が設けられている。支持板部材３１の被嵌合連結部７は、長辺の側面に連続しているので、複数の支柱６に対応して設けられているとも言え、連結部材１５が被嵌合連結部７に選択的に嵌合連結できるようにしてある。必要があれば支柱６と支柱６との間の部分の被嵌合連結部７にも連結部材１５を嵌合連結することができる。
【００２７】
このような長尺材の支持板部材３１を用いても多数の支持枠体１０を並べて配置した集合体を構成することができ、支持枠体１０のそれぞれに図３に示すようなプランター１２を置くことができる。
【００２８】
実施の形態３．
図１２に示すプランター支持枠装置３２においては、所定長さの多数の支柱６によって支持基体２上に支持された支持板部材８と、支持板部材８によって支持された連結部材１５とで構成されて同じ高さ位置Ｈ１にある一群の支持枠体１０に加えて、支柱６よりも長い支柱３３によって支持枠体１０よりも高い位置Ｈ２に支持された別の一群の支持枠体１０を備えている。すなわち、このプランター支持枠装置１においては、多数の支持枠体１０が、支柱６によって支持されて第１の高さＨ１に配置された第１の支持枠体集合体３４と、支柱６よりも長い支柱３３によって支持されて第２の高さＨ２に配置された第２の支持枠体集合体３５とに分けられている。
【００２９】
第１の支持枠体集合体３４と第２の支持枠体集合体３５との間には段差があってそこに空間が形成されるため、これらの第１の支持枠体集合体３４と第２の支持枠体集合体３５との間の空間を外部から遮蔽する蹴上げ３６を備えている。この蹴上げ３６は、図８に示す蹴上げ２１を用いることができる。
【００３０】
実施の形態４．
図１３には、プランター支持枠装置１あるいは３２の行および列方向の寸法を任意にするために、長さの調整ができる連結部材３７を側面図で示してある。この連結部材３７は、両端３８および３９を持つスライド板４０と、スライド板４０の両端３８および３９にそれぞれ長さ方向にスリット４１により勘合してスライド可能に設けられて、それぞれ支持板部材８に嵌合連結することのできる嵌合連結部９を有する２つの嵌合部分４２とを備えている。その他は先に説明し、例えば図４に示す連結部材１５と同様の構造である。スライド板４０を嵌合部分４２のスリット４１内の適当な位置に置けば、連結部材３７の長さを調整できる。このような長さ調節機構を持つ連結部材３７を図４に示す連結部材１５の代わりに使用すれば、支持板部材８と連結部材１５との組み合わせによって定められる寸法以外の寸法にも十分に対応できる。
【００３１】
実施の形態５．
図１４にはプランター支持枠装置１を折版屋根４３上に設置した例を示す。折版屋根４３は、寸法によってはプランター支持枠装置１の支柱６を山部４５だけにあるいは溝部４７だけに設置することができない場合があるが、このプランター支持枠装置１においては、図１４で左側の支柱６は図１２の支柱６と同様のものであって、折版屋根４３の構造材４４で支持された山部４５上に接着剤などで設置されていて、図１４で右側の支柱３３は図１２の支柱３３と同様のものであって、長さが長く、折版屋根４３の構造材４６で支持された山部４５上に接着剤などで設置されている。
【００３２】
実施の形態６．
図１５には示すプランター支持枠装置１の支柱６は、構造材４６上の折版屋根４３の山部４５上に設置されている。折版屋根４３は、構造材４６と山部４５とを貫通して、ナット４８で締結されたボルト４９によって構造材４６に結合され、上側のナット４８とボルト４９とが山部４５の頂面よりも上に突出している。一方、支持板部材８に結合されている支柱６の台座１７の底面には、支持基体２の突出部であるナット４８とボルト４９とを受け入れる嵌合凹部５０が設けてあり、この嵌合凹部５０とナット４８およびボルト４９とが嵌合して支柱６が折版屋根４３に固定される。台座１７がゴムあるいはプラスチック等の弾性体で作ると、嵌合がより確実になる。
【００３３】
実施の形態７．
図１６に示す支柱６は、台座１７がフランジ５１を持っていて、ボルト５２によって支持基体２に固定できるようにしてある。ボルト５２の代わりにアンカーボルトあるいはコンクリート釘などを用いることもできる。
【００３４】
実施の形態８．
図１７および１８に示すプランター支持枠装置においては、支柱６によって支持された各支持枠体１０上に図３に示すプランター１２が支持フランジ１４によって支持されている。各プランター１２の支持フランジ１４間の間隙は、格子状に組み合わせたスペーサ５３によって埋められていて、プランター支持枠装置１の頂面に段差が生じないようにしてある。プランター支持枠装置１の周縁部には枠組み５４が設けられている。スペーサ５３は、図示の例では、互いに平行に配置した長尺材とその間に配置された短尺材とを組み合わせて格子状に構成されているが、どのような組み合わせによって格子状に組み合わせても良い。
【００３５】
実施の形態９．
図１９および２０に示すプランター支持枠装置が支持しているプランター１２は、プランター本体１３から水平方向に延びて支持枠体１０によって支持される支持フランジ１４が、外縁部に全周に亘って設けられた立ち上がり部５５を持っている。立ち上がり部５５の水平方向位置、すなわち支持フランジ１４の幅寸法は、立ち上がり部５５の外表面が支持フランジ１４を支持する連結部材１５の長さ方向の中心線上に位置するように設定してある。
【００３６】
従ってこのプランター１２を支持枠体１０によって支持した状態では、隣接のプランター１２の立ち上がり部５５が互いに接した状態となる。このような立ち上がり部５５が設けてあるため、プランター１２の植物を栽培できる部分が支持枠体１０の上にまで拡張され、プランター１２の相互間が立ち上がり部５５の２枚分の厚さで隔てられているに過ぎない状態となり、例えばプランター１２に芝５６を植えた場合に、芝が殆ど切れ目無く実質的に一面に植えられている状態を実現できる。隣接のプランター１２の立ち上がり部５５の間の間隙は、状況に応じて間隙を設けて配置することもできる。
【００３７】
以上に図示して説明したプランター支持枠装置はこの発明の実施の態様を単なる例として表したものであるので、様々な変形が可能であり、またそれぞれの実施態様の特徴を全てあるいは選択的に組み合わせて用いることもできる。例えば、プランターの支持フランジ１４の側縁に図４に示すような嵌合連結部９を設けて、支持枠体１０側の被嵌合連結部７に嵌合連結させることもできる。また、支柱６の高さは個々に選択することができるし、支柱６自体の高さをネジあるいは延長継手によって調節できるので、図示のような平坦な支持基体２だけでなく、岩場、階段状あるいは傾斜した基盤、折版屋根等の凹凸のある支持基体上にも適用でき、支持基体自体もベランダ、デッキ、屋上、屋根、コンクリート板、岩盤、岩場等の構造物や自然物であってもよい。
【産業上の利用可能性】
【００３８】
この発明のプランター支持枠装置は、屋上緑化、ベランダ菜園、緑化人工地盤等に利用できるものである。
【符号の説明】
【００３９】
１、３２  プランター支持枠装置、２  支持基体、６  支柱、７  被嵌合連結部、８、３１  支持板部材、９  嵌合連結部、１０  支持枠体、１１  支持空間、１２  プランター、１３  プランター本体、１４  支持フランジ、１５  連結部材、２０  庇部、２１  突起部、２２  凹部、２３、３６  蹴上げ、３０  板部材、３３  長い支柱、３４  第１の支持枠体集合体、３５  第２の支持枠体集合体、３７  連結部材、３８、３９  端、４０  スライド板、４２  嵌合部分、４３  折板屋根、４４  構造材、４５  山部、４６  構造材、４７  溝部、４８  ナット、４９  ボルト、５０  凹部、５１  フランジ、５２  締結具、５３  スペーサ、５４  枠組み、５５  立ち上がり部、５６  芝。
【図１】
2010207100.tif 000003
【図２】
2010207100.tif 000004
【図３】
2010207100.tif 000005
【図４】
2010207100.tif 000006
【図５】
2010207100.tif 000007
【図６】
2010207100.tif 000008
【図７】
2010207100.tif 000009
【図８】
2010207100.tif 000010
【図９】
2010207100.tif 000011
【図１０】
2010207100.tif 000012
【図１１】
2010207100.tif 000013
【図１２】
2010207100.tif 000014
【図１３】
2010207100.tif 000015
【図１４】
2010207100.tif 000016
【図１５】
2010207100.tif 000017
【図１６】
2010207100.tif 000018
【図１７】
2010207100.tif 000019
【図１８】
2010207100.tif 000020
【図１９】
2010207100.tif 000021
【図２０】
2010207100.tif 000022